(57)【特許請求の範囲】
【請求項１】
操作機構の操作ロッドと遮断器の絶縁ロッドとを連結するリンク部材と、昇降可能に設けられ、固定枠に設けられた切欠部に挿入されたとき前記遮断器の引出しを阻止し、上方向に持ち上げられたとき前記遮断器の引出しを可能にするインターロックレバーと、支点ピンを中心に回転可能に設けられ一方側が前記インターロックレバーと接触して前記インターロックレバーの動作に連動し、他方側が前記遮断器の閉極状態において前記リンク部材と接触し、回転動作が阻止され前記インターロックレバーの持ち上げを阻止するインターロックリンクとを備え、前記リンク部材は、前記操作ロッドと連結する操作リンクと、前記絶縁ロッドと連結する三相軸とからなり、前記インターロックリンクから伝達される荷重の方向の直線上に前記三相軸の軸心が位置するように前記インターロックリンクを設けたことを特徴とする引出形遮断器のインターロック装置。
【請求項２】
前記操作ロッドと前記操作リンクとは連結ピンで連結され、前記インターロックレバーを操作しないときに前記インターロックレバーをストッパーとして作用する位置に固定するスプリングを備え、前記インターロックリンクは前記他方側が前記遮断器の閉極状態において前記連結ピンと接触して回転動作が阻止されることを特徴とする請求項１に記載の引出形遮断器のインターロック装置。
【請求項３】
前記インターロックレバーの前記ストッパーは、前記切欠部の位置に上下方向のみの操作により挿入または引出されることを特徴とする請求項２に記載の引出形遮断器のインターロック装置。
【発明の詳細な説明】
【技術分野】
【０００１】
この発明は、例えば電力系統の電磁操作機構が搭載された引出形遮断器のインターロック装置に関するものである。
【背景技術】
【０００２】
従来の引出形遮断器のインターロック装置は、遮断器と配電盤を鉛直方向に貫くインターロックロッドを設け、インターロックロッドを上方向に持ち上げたときにのみ遮断器の引出及び挿入を可能としている。
【０００３】
インターロックロッドは、遮断器が閉極状態にあるときに電磁操作機構部のシャフトと干渉するピンが設けられており、配電盤と遮断器を固定するストッパーの解除を不可能とすることができる。
【０００４】
次いで、インターロックロッドの上昇動作に応答して接点を切り離す指令を出力するインターロックスイッチをインターロックロッドの上部に設けることにより、インターロックロッドが上昇動作したときに、投入指令の入力を強制的に遮断する機能を有し、引出可能状態にある遮断器を投入不可能とすることができる。
【０００５】
すなわち、遮断器が遮断状態にあるときに、インターロックレバーが操作されて上方に移動すると、インターロックレバーの上昇移動に伴ってインターロックロッドが上方に移動し、真空遮断器の引出が可能になる。したがって、遮断器を前面側に引き出して断路位置まで移動させることができるようになっている。
【０００６】
一方、図８に示すように、遮断器が入の位置にあって投入状態にあるときには、ストッパピン１０６とロックピン１７０とが接触し、インターロックロッド４６の上昇移動が阻止されるようになっている。すなわち、インターロックレバー１６４を操作しても、ストッパピン１０６とロックピン１７０との接触により、インターロックロッド４６の上昇移動が阻止され、真空遮断器３２の引出が不可能になっている。
【先行技術文献】
【特許文献】
【０００７】
【特許文献１】特開２００６−５９８２３号公報
【発明の概要】
【発明が解決しようとする課題】
【０００８】
上述した従来の引出形遮断器のインターロック装置は、遮断器の引出しを目的として、配電盤に閉極状態で接続されている遮断器のインターロックロッドを上方向に持ち上げた場合、インターロック装置に加わる荷重が遮断器の閉極保持を妨げる方向に伝わることで、作業者の意図しない所で遮断器が開極するという問題点があった。
【０００９】
この発明は、上記のような課題を解決するためになされたものであり、その目的は、閉極状態において遮断器の閉極保持状態を維持しながら遮断器の引出しを防止することができる引出形遮断器のインターロック装置を提供するものである。
【課題を解決するための手段】
【００１０】
この発明に係わる引出形遮断器のインターロック装置は、操作機構の操作ロッドと遮断器の絶縁ロッドとを連結するリンク部材と、昇降可能に設けられ、固定枠に設けられた切欠部に挿入されたとき前記遮断器の引出しを阻止し、上方向に持ち上げられたとき前記遮断器の引出しを可能にするインターロックレバーと、支点ピンを中心に回転可能に設けられ一方側が前記インターロックレバーと接触して前記インターロックレバーの動作に連動し、他方側が前記遮断器の閉極状態において前記リンク部材と接触し、回転動作が阻止され前記インターロックレバーの持ち上げを阻止するインターロックリンクとを備え、前記リンク部材は、前記操作ロッドと連結する操作リンクと、前記絶縁ロッドと連結する三相軸とからなり、前記インターロックリンクから伝達される荷重の方向の直線上に前記三相軸の軸心が位置するように前記インターロックリンクを設けたものである。
【発明の効果】
【００１１】
この発明に係わる引出形遮断器のインターロック装置によれば、閉極状態において遮断器の閉極保持状態を維持しながら遮断器の引出しを防止することができる引出形遮断器のインターロック装置を得ることができる。
【図面の簡単な説明】
【００１２】
【図１】この発明の実施の形態１に係わる引出形遮断器のインターロック装置を示す正面図である。
【図２】この発明の実施の形態１に係わる引出形遮断器のインターロック装置を示す側断面図である。
【図３】この発明の実施の形態１に係わる引出形遮断器のインターロック装置における開極状態でインターロックレバーを持ち上げた状態を示す側断面図である。
【図４】この発明の実施の形態1に係わる引出形遮断器のインターロック装置における閉極状態でインターロックレバーを持ち上げた状態を示す側断面図である。
【図５】この発明の実施の形態２に係わる引出形遮断器のインターロック装置における閉極状態でインターロックレバーを持ち上げた状態を示す側断面図である。
【図６】この発明の実施の形態３に係わる引出形遮断器のインターロック装置における閉極状態でインターロックレバーを持ち上げた状態を示す側断面図である。
【図７】この発明の実施の形態４に係わる引出形遮断器のインターロック装置を示す側断面図である。
【図８】従来の引出形遮断器のインターロック装置を示す側断面図である。
【発明を実施するための形態】
【００１３】
実施の形態１．
以下、この発明の実施の形態１を図１〜図４に基づいて説明するが、各図において、同一、または相当部材、部位については同一符号を付して説明する。図１はこの発明の実施の形態１に係わる引出形遮断器のインターロック装置を示す正面図である。図２はこの発明の実施の形態１に係わる引出形遮断器のインターロック装置を示す側断面図である。図３はこの発明の実施の形態１に係わる引出形遮断器のインターロック装置における開極状態でインターロックレバーを持ち上げた状態を示す側断面図である。図４はこの発明の実施の形態1に係わる引出形遮断器のインターロック装置における閉極状態でインターロッ
クレバーを持ち上げた状態を示す側断面図である。
【００１４】
これら各図において、ケース１の中に格納された電磁操作機構２の操作ロッド３は、連結ピン４と操作リンク５を介して三相軸６に連結されている。これら操作リンク５と三相軸６とによりリンク部材が構成されている。三相軸６は絶縁ロッド７を介してモールドフレーム８に格納された真空バルブ９と連結されている。電磁操作機構２の電磁力により操作ロッド３が上下に動作することで、真空バルブ９を開閉させている。
【００１５】
遮断器は引出操作が容易となるように台車１０が備えられており、遮断器が開極状態にあるときに、インターロックレバー１１を上方向に持ち上げることで下方に突出しストッパー２１を成していたインターロックレバー１１がケース１側に格納され、固定枠１２内への挿入が可能となる。
【００１６】
インターロックレバー１１を操作しないときは、スプリング１３によりインターロックレバー１１は遮断器と固定枠１２を固定するためのストッパー２１として作用する位置に固定される。固定枠１２にはインターロックレバー１１が挿入されるための切欠が２箇所設けられており、それぞれの切欠に挿入されることで、遮断器が試験位置１７または接続位置１８で固定される。
【００１７】
図３はこの実施の形態１による固定枠１２の接続位置１８に挿入された引出形遮断器が開極状態にあるときに、インターロックレバー１１を上方向に操作したときのインターロック構成を示す側断面図である。このインターロック装置には、インターロックレバー１１と接触し、連動して動作するインターロックリンク１４ａが設けられている。インターロックリンク１４ａは支点ピン１５を中心に回転可能に設けられ一方側がインターロックレバー１１と接触してインターロックレバー１１の動作に連動し、他方側が遮断器の閉極状態において連結ピン４と接触し、回転動作が阻止されインターロックレバー１１の持ち上げを阻止する。
【００１８】
遮断器が開極状態にあるとき、インターロックリンク１４ａはインターロックレバー１１の上方向の持ち上げに連動して支点ピン１５を中心に時計方向の回転方向に動作し、その動作を阻止する要因がないため、インターロックレバー１１は遮断器を引出す際のストッパー２１とならない位置まで持ち上げることが可能である。このとき、三相軸６は操作リンク５とともに回動する。
【００１９】
そして、遮断器が載置された台車１０を固定枠１２内への挿入していき、インターロックレバー１１のストッパー２１が接続位置１８にきたときに挿入を停止し、インターロックレバー１１を下方向にさげることにより、ストッパー２１が接続位置１８に挿入されて遮断器が固定される。なお、台車１０をインターロックレバー１１のストッパー２１が接続位置１８まで挿入させると、真空バルブ９の上下部に連結された上部側ジャンクション２２および下部側ジャンクション２３がそれぞれ固定枠１２に保持された上部側固定側導体２４および下部側固定側導体２５に接続される。
【００２０】
また、インターロックレバー１１の上部に上昇動作に応答して制御回路の入力信号を遮断するリミットスイッチ１６を設けることにより、インターロックレバー１１を持ち上げた状態では遮断器の投入が不可能となる。すなわち、遮断器が引出し可能な状態で遮断器を投入することが不可能となっている。
【００２１】
図４はこの実施の形態１による固定枠１２の接続位置に挿入された遮断器が閉極状態にあるときにインターロックレバー１１を上方向に操作したときのインターロック構成を示す側断面図である。遮断器が閉極状態にあるとき、電磁操作機構２による閉極保持力の方向１９の保持力が作用し、インターロックレバー１１の持ち上げ操作を行った際に、インターロックレバー１１に連動して動作するインターロックリンク１４ａが連結ピン４と接触するため、インターロックリンク１４ａは接触位置より先に動作することが不可能となり、インターロックレバー１１の持ち上げが不可能となる。すなわち、閉極状態で遮断器を引出すことは不可能となっている。
【００２２】
遮断器が閉極状態にあるとき、インターロックレバー１１を持ち上げようとすると、連結ピン４と接触するインターロックリンク１４ａによりインターロックレバー１１の操作が妨げられるため、インターロックレバー１１に荷重が生じる。この荷重はインターロックレバー１１に接続されたインターロックリンク１４ａにより遮断器の閉極保持力を妨げない方向に伝達されるため、インターロック装置が動作しても閉極状態の遮断器が開極状態にならない構造になっている。
【００２３】
インターロックレバー１１からインターロックリンク１４ａに伝達される荷重は、インターロックリンク１４ａから連結ピン４を介して三相軸６に伝達される。すなわち、遮断器に伝わる荷重の方向２０ａによって三相軸６に伝達される。インターロックリンク１４ａから連結ピン４に伝達される荷重の方向の直線上に三相軸６の軸心が位置するようにインターロックリンク１４ａを設けることで、インターロックレバー１１を操作したことによる荷重が三相軸６に加わる際に三相軸６が回転することを抑制し、遮断器が開極状態になることを防止している。よって、閉極中にインターロックレバー１１を持ち上げても、閉極状態を維持できる構造になっている。
【００２４】
この実施の形態１における引出形遮断器のインターロック装置は、インターロックレバー１１を持ち上げたときに遮断器の引出及び挿入が可能となり、インターロックレバー１１を操作しないときに引出及び挿入が不可能となる。遮断器が閉極状態にあるときはインターロックレバー１１の持ち上げ操作を不可能とすることで引出不可能としている。これらより、インターロックレバー１１の操作は持ち上げのみとなり、操作の簡易性に優れ高信頼性のインターロック装置を得ることができる。
【００２５】
実施の形態２．
この発明の実施の形態２を図５に基づいて説明する。図５はこの発明の実施の形態２に係わる引出形遮断器のインターロック装置における閉極状態でインターロックレバーを持ち上げた状態を示す側断面図である。
【００２６】
図５はこの実施の形態２による固定枠１２の接続位置１８に挿入された遮断器が閉極状態にあるときにインターロックレバー１１を上方向に操作したときのインターロック構成を示す側断面図である。遮断器が閉極状態にあるとき、電磁操作機構２による閉極保持力の方向１９の保持力が作用し、インターロックレバー１１を持ち上げようとすると、インターロックレバー１１に連動して動作するインターロックリンク１４ｂが連結ピン４と接触するため、インターロックリンク１４ｂは接触位置より先に動作することが不可能となり、インターロックレバー１１の持ち上げが不可能となる。すなわち、閉極状態で遮断器を引出すことは不可能となっている。
【００２７】
インターロックリンク１４ｂは支点ピン１５を中心に回転可能に設けられ一方側がインターロックレバー１１と接触してインターロックレバー１１の動作に連動し、他方側が遮断器の閉極状態において連結ピン４と接触し、回転動作が阻止されインターロックレバー１１の持ち上げを阻止する。
【００２８】
遮断器が閉極状態にあるとき、インターロックレバー１１を持ち上げようとすると、連結ピン４と接触するインターロックリンク１４ｂによりインターロックレバー１１の操作が妨げられるため、インターロックレバー１１に荷重が生じる。この荷重はインターロックレバー１１に接続されたインターロックリンク１４ｂにより遮断器の閉極保持力を妨げない方向に伝達されるため、インターロック装置が動作しても閉極状態の遮断器が開極状態にならない構造になっている。
【００２９】
インターロックレバー１１からインターロックリンク１４ｂに伝達される荷重は、インターロックリンク１４ｂから連結ピン４を介してケース１の手前側に加わる。すなわち、遮断器に伝わる荷重の方向２０ｂによってケース１の手前側に加わるので、三相軸６には伝達されないようにしたものである。このようなインターロックリンク１４ｂを設けることで、インターロックレバー１１を操作したことによる荷重が三相軸６に加わることがなく三相軸６が回転することもなく、遮断器が開極状態になることを防止している。よって、閉極中にインターロックレバー１１を持ち上げても、閉極状態を維持できる構造になっ
ている。
【００３０】
この実施の形態２における引出形遮断器のインターロック装置は、上述した実施の形態１よりも信頼性の高いインターロック装置を得ることができる。
【００３１】
実施の形態３．
この発明の実施の形態３を図６に基づいて説明する。図６はこの発明の実施の形態３に係わる引出形遮断器のインターロック装置における閉極状態でインターロックレバーを持ち上げた状態を示す側断面図である。
【００３２】
図６は実施の形態３による固定枠１２の接続位置に挿入された遮断器が閉極状態にあるときにインターロックレバー１１を上方向に操作したときのインターロック構成を示す側断面図である。遮断器が閉極状態にあるとき、電磁操作機構２による閉極保持力の方向１９の保持力が作用し、インターロックレバー１１を持ち上げようとすると、インターロックレバー１１に連動して動作するインターロックリンク１４ｃが連結ピン４と接触するため、インターロックリンク１４ｃは接触位置より先に動作することが不可能となり、インターロックレバー１１の持ち上げが不可能となる。
【００３３】
インターロックリンク１４ｃは支点ピン１５を中心に回転可能に設けられ一方側がインターロックレバー１１と接触してインターロックレバー１１の動作に連動し、他方側が遮断器の閉極状態において連結ピン４と接触し、回転動作が阻止されインターロックレバー１１の持ち上げを阻止する。
【００３４】
遮断器が閉極状態にあるとき、インターロックレバー１１を持ち上げようとすると、連結ピン４と接触するインターロックリンク１４ｃによりインターロックレバー１１の操作が妨げられるため、インターロックレバー１１に荷重が生じる。この荷重はインターロックレバー１１に接続されたインターロックリンク１４ｃにより遮断器の閉極保持力を妨げない方向に伝達されるため、インターロック装置が動作しても閉極状態の遮断器が開極状態にならない構造になっている。
【００３５】
インターロックレバー１１からインターロックリンク１４ｃに伝達される荷重は、インターロックリンク１４ｃから下方の連結ピン４に加わる。すなわち、電磁操作機構２による閉極保持力の方向１９と同じ方向の遮断器に伝わる荷重の方向２０ｃによってインターロックリンク１４ｃから下方の連結ピン４に加わるので、三相軸６には伝達されないようにしたものである。このようなインターロックリンク１４ｃを設けることで、インターロックレバー１１を操作したことによる荷重が三相軸６に加わることがなく三相軸６が回転することもなく、遮断器が開極状態になることを防止している。よって、閉極中にインターロックレバー１１を持ち上げても、閉極状態を維持できる構造になっている。
【００３６】
この実施の形態３における引出形遮断器のインターロック装置は、上述した実施の形態１よりも信頼性の高いインターロック装置を得ることができる。
【００３７】
実施の形態４．
この発明の実施の形態４を図７に基づいて説明する。図７はこの発明の実施の形態４に係わる引出形遮断器のインターロック装置を示す側断面図である。
【００３８】
上述した各実施の形態においては、インターロックリンクと連結ピン４とが直接係合される場合について述べたが、この実施の形態４においては、操作リンク５の先端部に突起係合体３１を設け、この突起係合体３１と例えばインターロックリンク１４ａとが係合するようにしたものであり、インターロックリンク１４ａと連結ピン４とは係合することが
なく、突起係合体３１に連結ピン４の機能を持たせたものであり、上述した実施の形態と同様の効果を奏する。
【００３９】
なお、この発明は、その発明の範囲内において、各実施の形態を自由に組み合わせたり、各実施の形態を適宜、変形、省略することが可能である。
【産業上の利用可能性】
【００４０】
この発明は、閉極状態において遮断器の閉極保持状態を維持しながら遮断器の引出しを防止することができる引出形遮断器のインターロック装置の実現に好適である。
【符号の説明】
【００４１】
１  ケース
２  電磁操作機構
３  操作ロッド
４  連結ピン
５  操作リンク
６  三相軸
７  絶縁ロッド
８  モールドフレーム
９  真空バルブ
１０  台車
１１  インターロックレバー
１２  固定枠
１３  スプリング
１４ａ  インターロックリンク
１４ｂ  インターロックリンク
１４ｃ  インターロックリンク
１５  支点ピン
１６  リミットスイッチ
１７  試験位置
１８  接続位置
１９  閉極保持力の方向
２０ａ  遮断器に伝わる荷重の方向
２０ｂ  遮断器に伝わる荷重の方向
２０ｃ  遮断器に伝わる荷重の方向
２１  ストッパー
【図１】
0005992215.tif 000002
【図２】
0005992215.tif 000003
【図４】
0005992215.tif 000004
【図５】
0005992215.tif 000005
【図６】
0005992215.tif 000006
【図３】
0005992215.tif 000007
【図７】
0005992215.tif 000008
【図８】
0005992215.tif 000009